(57)【要約】外科用ボウルセットは，内側長さ（１ｌ）及び内側幅（１ｗ）を有する矩形の第１ボウルと，外側長さ（２ｌ）及び外側幅（２ｗ）を有する矩形の第２ボウルとを備える。第２ボウルを長手方向において第１ボウル内に嵌合可能とし，かつ，第１ボウルから容易に取り出し可能とするため，外側長さ（２ｌ）は内側長さ（１ｌ）よりも僅かに短い長さに設定され，外側幅（２ｗ）は内側幅（１ｗ）の約半分以下である。【選択図】図２
2018522668.tif 000002
【特許請求の範囲】
【請求項１】
外科用ボウルセットであって：
・内側長さ（１ｌ）及び内側幅（１ｗ）を有する矩形の第１ボウルと；
・外側長さ（２ｌ）及び外側幅（２ｗ）を有する矩形の第２ボウルと；を備え，
前記外側長さ（２ｌ）が，前記内側長さ（１ｌ）より僅かに短い長さに設定され，これにより前記第２ボウルは，長手方向において前記第１ボウル内に嵌合可能であり，かつ，前記第１ボウルから容易に取り出し可能であり；
前記外側幅（２ｗ）が，前記内側幅（１ｗ）の約半分以下である，外科用ボウルセット。
【請求項２】
外科用ボウルセットであって：
・内側長さ（１ｌ）及び内側幅（１ｗ）を有する矩形の第１ボウルと；
・外側長さ（３ｌ）及び外側幅（３ｗ）を有する矩形の第３ボウルと；を備え，
前記外側長さ（３ｌ）が前記内側長さ（１ｌ）の約半分以下であり；
前記外側幅（３ｗ）が，前記内側幅（１ｗ）の約半分以下である，外科用ボウルセット。
【請求項３】
請求項１又は２に記載の第１ボウルと，請求項１に記載の第２ボウルと，請求項２に記載の第３ボウルとを備える，外科用ボウルセット。
【請求項４】
請求項１又は３に記載の外科用ボウルセットであって，前記第２ボウルに収められる第４ボウルと，該第４ボウルに収められる第５ボウルとを備える，外科用ボウルセット。
【請求項５】
請求項２又は３に記載の外科用ボウルセットであって，任意的に，前記第３ボウルに収められる第６ボウルを備える，外科用ボウルセット。
【請求項６】
請求項１〜５の何れか一項に記載の外科用ボウルセットであって，前記各ボウルが，底部と，ボウル開口部に向けて外向きのテーパを有する立ち上げ壁部と，前記ボウル開口部周りのフランジとを備える，外科用ボウルセット。
【請求項７】
請求項３に従属する場合の請求項６に記載の外科用ボウルセットであって，前記第２及び第３ボウルは高さが異なり，それぞれの当接側部上で重ね合わせ可能なフランジを備える，外科用ボウルセット。
【発明の詳細な説明】
【技術分野】
【０００１】
本発明は、外科用ボウルに関する。
【背景技術】
【０００２】
外科用ボウルは，外科処置室において多くの方法で受け皿として使用される。例えば，外科用ボウルは，手術の間に血液等の流体や，胆石等の試料を捕集するために使用することができる。外科用ボウルは，手術の準備段階で消毒液や洗浄液を保持するために使用することもできる。外科用ボウルは，ドナーから採取した移植用皮膚片をレシピエントに移植する前に保持するために使用することもできる。更に，外科用ボウルは，医療従事者間で傷害を伴わずに器材を移動させる際に使用し，あるいはメス等の使用済み器材，血液が染み込んだスポンジ又はスワブ等のための受け皿として使用することもできる。
【０００３】
従来の提案又は製品に関する以下の言及又は記載は，当業界における一般常識についての宣明又は自認を意図するものでなく，そのように解すべきでもない。特に，先行技術に関する以下の記載は，当業者にとって共通又は周知の事項に関連するものではなく，関連する先行技術が一部として取り込まれる本発明の進歩性の理解に資するためのものである。
【０００４】
既存の外科用ボウルは，意図される用途に応じて各種の寸法とされている。最も大きなボウルは容量が７〜８リットルであり，最も小さいボウルは容量が約４００ミリリットルである。
【０００５】
外科用ボウルは，二つの形状の何れか，即ち円形状又は腎臓（キドニー）形状とされている。このような外科用ボウルは，大きなボウルの中に小さなボウルを入れ込むことができるが，円形状又は腎臓形状のボウルを入れ込んだ集合体は，特に異なる外科処置に応じて異なる外科用ボウルの組み合わせが必要とされる場合に，消毒，貯蔵又は使用のために効率的な形態ではない。
【０００６】
少なくとも好適な実施形態において，本発明の課題は，先行技術の欠点を改善し，又は少なくとも先行技術に対する有用な代案を提供することである。
【発明の概要】
【０００７】
本発明の実施形態に係る特定の技術的課題は，スペース効率が高く，外科処置に際して有利に使用可能な外科用ボウルの各種セットを提供することである。このような技術的課題は，既存の解決策では適切に対応できなかった，先行技術における未解決の要望を代表するものである。
【０００８】
上述した課題を解決するため，本発明の実施形態は，以下に記載するように構成されている。
【０００９】
第１の態様において，本発明の外科用ボウルセットは，
内側長さ１ｌ及び内側幅１ｗを有する矩形状の第１ボウルと，
外側長さ２ｌ及び外側幅２ｗを有する矩形状の第２ボウルと，を備える。
第２ボウルを長手方向において第１ボウル内に嵌合可能とし，かつ，第１ボウルから容易に取り出し可能とするため，外側長さ２ｌは，内側長さ１ｌによりも僅かに短い長さに設定されている。
更に，外側幅２ｗは，内側幅１ｗの約半分以下である。
【００１０】
第２の態様において，本発明の外科用ボウルセットは，
内側長さ１ｌ及び内側幅１ｗを有する矩形状の第１ボウルと，
外側長さ３ｌ及び外側幅３ｗを有する矩形状の第３ボウルと，を備える。
外側長さ３ｌは，内側長さ１ｌの約半分以下であり，
外側幅３ｗは，内側幅１ｗの約半分以下である，
【００１１】
第１及び第２の態様は，図面に示す要領で組み合わせることができる。
【００１２】
本発明のボウルセットにおいて，好適には，第１ボウルは矩形状であり，内側幅１ｗは内側長さ１ｌの約７５％である。
【００１３】
第２ボウルは，好適には横長形状であり，外側幅２ｗは外側長さ２ｌの約３３〜３４％である。
【００１４】
第３ボウルは，好適には正方形により近似する形状であり，外側幅３ｗは外側長さ３ｌの約８０〜１００％である。
【００１５】
好適には，第１ボウルの寸法と，第２及び第３ボウルの各寸法は，次の組み合わせを達成し得るように設定する。
・第１ボウルが２つの第２ボウルを並行に収容可能であり，その収容状態では，内側長さ１ｌ及び外側長さ２ｌの差が十分であるため，第２ボウルがそれぞれ第１ボウルから容易に取り出し可能である。
・第１ボウルが１つの第２ボウル及び１つの第３ボウルを並行に収容可能である。
・第１ボウルが１つの第２ボウル及び２つ第３ボウルを収容可能であり，その収容状態では第３ボウルが内側長さ１ｌ内に受け入れられ，第３ボウルがそれぞれ第２ボウルと並行に配置される。
【００１６】
外科用ボウルセットにおける各ボウルは，底部及び立ち上げ壁部を有する。好適には，壁部は，ボウル開口部に向けて外向きのテーパを有する。
【００１７】
本発明の外科用ボウルセットにおける各ボウル又は幾つかのボウルは，ボウル開口部周りの全周又は一部に沿ってフランジを有することができる。
【００１８】
本発明の外科用ボウルセットにおける各ボウル又は幾つかのボウルは，二通りの異なる高さを有することができる。
【００１９】
外側長さを測定する場合，好適には，このようなフランジも考慮に入れるものとする。しかしながら，外側幅を測定する場合に，フランジを考慮に入れることは必須ではない。これは，本発明の外科用ボウルセットにおける第２，第３及びそれ以降のボウルを異なる高さに形成することにより，１つのボウルのフランジを，外科用ボウルセットにおける第１ボウル内への嵌合を妨げることなく，並行する他のボウルのフランジと積み重ねることができるである。
【００２０】
この点を除外すれば，外側における長さ及び幅は，底部又は頂部において測定すべきである。
【００２１】
第２及び第３ボウルは，それぞれ，入れ込み型とした１つ以上の更なるボウルを受け入れ可能とすることができる。そのような更なるボウルは，好適には，受け入れ側ボウルと相似でより小さい寸法とする。
【００２２】
本発明の外科用ボウルセットは，外科処置において有用なジャグ等の直線状器材を受け入れ可能とすることもできる。
【００２３】
本発明の実施形態による有利な効果は，多岐に亘るものである。
【００２４】
本発明の実施形態に係る外科用ボウルセットは，特に，既存の外科用ボウルとは関連しない技術的効果を実現できるものであり，これにはボウルの個数や積み重ね効率の最適化により，運搬，貯蔵又は消毒のために，あるいは使用の間に必要とされるスペースを節減できることが含まれる。
【００２５】
これらの利点は，異なる外科処置のために異なる寸法のボウルの組み合わせが必要とされる場合に，特に顕著である。最小スペースの利点を維持しつつ，異なる寸法のボウルの広範な組み合わせを可能とする外科用ボウルセットが実現できることは，先行技術に照らして特筆すべき有利な効果である。
【００２６】
本発明の外科用ボウルセットが矩形状のボウルを備えるため，そして第１ボウルと第２及び／又は第３ボウルとの間で寸法比が特定されているため，本発明のボウルセットは，運搬，貯蔵，消毒及び使用のためのスペースを最も効率的に活用することができる。更に，各ボウルの間の長さ及び幅の比が特定されているため，単一の外科用ボウルセットは，個別的な必要性に対応する広範なボウルの組み合わせを含むことができる。
【００２７】
本発明の外科用ボウルセットは，１回使用型又は反復使用型として構成することができる。本発明の外科用ボウルセットを構成する材料は，これに応じて適宜に選択することができる。１回使用型のボウルセットは，好適には，プラスチック又は他の適当な材料で構成する。反復使用型のボウルセットは，好適には，複数回の消毒サイクルに耐え得るステンレス鋼又は他の適当な材料で構成する。好適には，本発明の外科用ボウルセットは，消毒済み状態で運搬する。
【図面の簡単な説明】
【００２８】
上述した二通りの態様において，本発明は，好適な実施形態に係る以下の非限定的な記述から一層明確に理解することができる。
【図１】本発明の外科用ボウルセットの第１実施形態を示す平面図である。
【図２】図１の実施形態の斜視図である。
【図３】本発明の外科用ボウルセットの第２実施形態を示す平面図である。
【図４】図３の実施形態の斜視図である。
【図５】第１，第２及び第４ボウルの実施形態の平面図及び側面図であり，測定方法を例示するものである。
【図６】第３，第５及び第６ボウルとジャグの実施形態の平面図及び側面図であり，測定方法を例示すると共に，記述したプラットフォームとして具体化するためにネットワーク化される構造を示すものである。
【発明を実施するための形態】
【００２９】
以下，添付図面を参照して本発明の実施形態を更に詳述する。しかしながら，図面に示され，かつ，図面を参照して後述する特徴は，本発明を限定するものと解すべきではない。
【００３０】
なお，全ての図面が同一縮尺ではないことは，言うまでもない。
【００３１】
図１は，外科処置における使用に好適な外科用ボウルセット１０を示す。本実施形態において，第１ボウル１２は矩形状であり，底部１４において内側長さ１ｌ及び内幅１ｗを有する。内側長さ１ｌは，例えば底部１４で２７１ｍｍ，頂部１６では３０８ｍｍである。さらに，内側幅１ｗは，例えば底部１４で１８９ｍｍ，頂部１６では２５８ｍｍである。第１ボウル１２の容積は，約７〜８リットルである。
【００３２】
第２ボウル１８は，横長の矩形状である。図５に示すように，フランジ２０を含む外側長さ２ｌは例えば２９０ｍｍ，外側幅２ｗは例えば１０３ｍｍである。外側長さ２ｌは，内側長さ１ｌに近似する，より短い長さに設定されている。これにより，第２ボウル１８は，長手方向において第１ボウル１２内に嵌合可能であり，かつ，第１ボウル１２から容易に取り出し可能である。外側幅２ｗは内側幅１ｗの約半分以下である。第２ボウル１８の容積は，約１リットルである。
【００３３】
図１には，第３ボウル２２，第４ボウル２４，第５ボウル２８及び第６ボウル２８も示されている。これらのボウルの容積は，それぞれ，約１リットル，７５０ミリリットル，４８５ミリリットル，４３０ミリリットルである。
【００３４】
第２ボウル１８内には，第４及び第５ボウル２４，２８が入れ込まれており，これら３つのボウルは相似の横長形状とされている。
【００３５】
図６に示すように，第３ボウルの外側長さ３ｌは，例えば底部１４で１０９ｍｍ，頂部１６では１５２ｍｍである。外側幅３ｗは，例えば底部１４で８４ｍｍ，頂部１６では１２７ｍｍである。外側長さ３ｌは，内側長さ１ｌの約半分以下である。外側幅３ｗも，内側幅１ｗの約半分以下である。
【００３６】
第６ボウル２８は，ボウルセット１０内において，第２ボウル１８及び第３ボウル２２の各々に対して並行に配置される。
【００３７】
図２に示すように，第３ボウル２２及び第６ボウル２８は，ボウル１８，２４及び２６よりも高く形成されている。ボウル２２及び２８のフランジ２０は，ボウル１８，２４，２６のフランジに重ね合わせることができる。
【００３８】
図３及び図４の実施形態において，同一の第１ボウル１２は，ボウル１８，２４，２６を（入れ込み状態で）保持する。ボウル２８は，ボウル２２内に入れ込まれている。残りのスペースは，ジャグ３０が専有する。ジャグ３０は，省スペース性の利点を最大化するよう，直線状とされている（図６も参照）。
【００３９】
図５に示すように，第１ボウル１２は，その２つの側部の各長手方向に沿って目盛３４を有する。目盛３４の目的は，例えば，レシピエントへの移植前にボウル１２内で保持されるドナー皮膚片の寸法計算を補助することである。
【００４０】
ジャグ３０の一般的な形状は，図６に示すとおりである。
【００４１】
本明細書及び特許請求の範囲において，方向性に関連する用語，例えば「垂直」，「水平」，「頂部」，「底部」，「上側」，「下側」等は，部品，品目，物品，装置，器具等が通常は特定の方向性を有すると考えられるとの前提で使用される相対的な用語である。
【００４２】
本願に開示する発明について，その技術的範囲を逸脱することなく，多様な修正及び変更が可能であることは，当業者の想定範囲内である。
【図１】
2018522668.tif 000003
【図２】
2018522668.tif 000004
【図３】
2018522668.tif 000005
【図４】
2018522668.tif 000006
【図５】
2018522668.tif 000007
【図６】
2018522668.tif 000008
【国際調査報告】
2018522668.tif 000009
2018522668.tif 000010